(57)【要約】【課題】従来、人体頭部に装着するバイザーは、形状を保持するだけの硬度を備えていなければならなかった。そのため、バイザーを小さく折りたたむことは困難であった。本発明において、折り畳み可能なバイザーを提供する。【解決手段】貫通した穴をもつ骨格片を紐状部材で数珠状に複数連結してバイザーの骨格部を形成する。その骨格部を内装した膜体でバイザーを形成する。以上の構成を持つ、人体頭部に装着する折り畳み式バイザー。【選択図】          図２
2018028153.tif 000002
【特許請求の範囲】
【請求項１】
貫通した穴（１１）を備えた複数の骨格片（１０）を、紐状部材（２０）を通して連結して骨格部（３０）を形成し、その骨格部（３０）を膜体（４０）で覆うことで形成される、人体頭部に装着する折り畳み式バイザー。
【請求項２】
請求項１に記載のバイザーを有する帽子。
【請求項３】
請求項１に記載のバイザーを有したフードを有する衣類と雨合羽。
【発明の詳細な説明】
【技術分野】
【０００１】
本発明は、折り畳みを可能にした、人体の頭部に装着する、雨や光や塵を遮るための折り畳み式バイザーに関する。
【背景技術】
【０００２】
従来、人体頭部に装着するバイザーやバイザーを備えた帽子は、人体の額部分から前方へ突出させて用いるため、バイザーとしての形状を保持するだけの硬度を備えていなければならなかった。そのため、バイザーを形成する素材として、余分な力を加えない限り、変形したり撓んだりすることの少ないものが選ばれてきた。
【先行技術文献】
【特許文献】
【０００３】
【特許文献１】特開平１０−０２５６１２号    公報
【発明の概要】
【発明が解決しようとする課題】
【０００４】
人体頭部に装着するバイザーは、人体頭部から突出した状態を維持するために、形状を保持するだけの硬度を備えていなければならない。力を加えない限り、変形したり撓んだりしないだけの硬度が必要であった。そのため、バイザーを小さく折りたたむことは困難であった。また、バイザーとしての形状を崩す恐れから、衣類のポケットや鞄の小さな隙間に詰め込んで所持することも困難であった。さらに電気洗濯機で洗ったりすることも困難であった。
【０００５】
バイザーの折り畳み可能な構造に関する考案には、特開平１０−０２５６１２のように空気を充てんする構造を備えることで折り畳みを可能としたものもある。しかしこの場合、使用前には空気を充てんする作業が伴わなければならず、不便である。
【０００６】
本発明は、このような課題を解決し、小さく折りたたむことを可能にし、型崩れを恐れず使用でき、手間をかけず人体頭部に簡単に装着できる、折り畳み式バイザーに関するものである。
【課題を解決するための手段】
【０００７】
請求項１に記載の発明を以下に示す。本発明は三種類の部材からなる。１つ目の部材は、樹脂または金属またはセラミックスまたは生物体の一部からなる骨格片１０である。骨格片１０には貫通した穴１１を設ける。
【０００８】
２つ目の部材は、紐または糸または鎖からなる紐状部材２０である。
【０００９】
３つ目の部材は、布または樹脂フィルムからなる、自然に撓むことのできる膜体４０である。
【００１０】
以上の三種類の部材を以下に示すように構成する。複数の骨格片１０を、紐状部材２０を通して数珠状に連結し、バイザーの骨格部３０を形成する。そして、その骨格部３０を膜体４０で覆うことでバイザーを形成する。本発明は以上の構造を持つ、人体頭部に装着する折り畳み式バイザーである。
【００１１】
請求項２に記載の発明は、請求項１に記載のバイザーを有する帽子である。
【００１２】
請求項３に記載の発明は、請求項１に記載のバイザーを有したフードを有する衣類と雨合羽である。
【００１３】
本発明は骨格部３０を骨格片１０に分割することで、折り曲げたり、撓ませたりできる柔軟性を持ちながら、人体装着時には人体頭部から突出した状態を作り出せるバイザーである。
【００１４】
なお、本出願のすべての文中において、バイザーとは、人体の頭部に装着し、光や雨粒や塵を遮る庇または鍔を指すこととする。すなわち、遮光板全般を指すわけではない。自動車内の運転席の前方上部に装着するサンバイザーなどは含まない。
【発明の効果】
【００１５】
バイザーの骨格部３０は骨格片１０でできているため、図２のように、骨格片１０同士の間に隙間５５ができている状態を作り出せば、膜体４０と紐状部材２０の柔軟性により、バイザーを簡単に折り曲げたり畳んだりできる。
【００１６】
バイザーを人体頭部に装着するときは、図１のように骨格片１０同士の間の隙間５５をなくし、骨格片１０同士が数珠状に接した状態を作り出せばよい。この状態を作り出すためには、次のようにする。すなわち、骨格部３０末端から骨格片１０が抜け落ちないように結び目などの骨格片抜け落ち止め２１を設けた状態のもとで、骨格部３０のもう一端で、骨格片１０のみをせき止めながら、紐状部材２０を引き抜けば、骨格片１０同士が接して連結した状態ができる。この状態で固定すれば、連なった骨格片１０により、ひと続きの骨格部３０が形成される。その結果、膜体４０を人体頭部から突出した状態を支える骨組みとなる。
【図面の簡単な説明】
【００１７】
【図１】本発明の斜視図。装着時を表す。点線は透視した骨格部３０。
【図２】本発明の斜視図。非装着時を表す。点線は透視した骨格部３０。
【図３】骨格部３０の一部の斜視図。非装着時の状態を表す。
【図４】１つの骨格片１０の拡大斜視図。
【図５】１つの骨格片１０の拡大平面図。点線は透視した内部を表す。
【図６】１つの骨格片１０の図４におけるＡ−Ａ線拡大断面図。
【図７】１つの凹凸骨格片１０ａの拡大斜視図。
【図８】１つの凹凸骨格片１０ａの拡大平面図。点線は透視した内部を表す。
【図９】１つの凹凸骨格片１０ａの図７におけるＢ−Ｂ線拡大断面図。
【図１０】両凸部骨格片１０ｃと両凹部骨格片１０ｄの平面図。点線は透視した内部を表す。
【図１１】長形骨格片１０ｇを用いた骨格部３０の一部の斜視図。非装着時を表す。
【図１２】略球形骨格片１０ｅと略筒形骨格片１０ｆを交互に用いた骨格部３０の一部の斜視図。非装着時を表す。
【図１３】略球形骨格片１０ｅと、略筒形骨格片１０ｆを交互に用いた骨格部３０の一部の斜視図。装着時の状態を表す。
【図１４】略球形骨格片１０ｅと、略筒形骨格片１０ｆを交互に用いた骨格部３０の一部の断面図。非装着時の状態を表す。
【図１５】骨格部後端３１を表す。（図１と図２と図１８の３１）点線は膜体４０。
【図１６】骨格部前端３２を表す。（図１と図２の３２）点線は膜体４０。
【図１７】本発明を人体に装着する動作を表す斜視図。点線は人体と透視を表す。
【図１８】つば広の本発明の平面図。非装着時を表す。点線は透視した骨格部３０。
【図１９】つば広の本発明の斜視図。装着時を表す。
【図２０】１つの凹凸骨格片１０ａの図７におけるＢ−Ｂ線拡大断面図。
【発明を実施するための形態】
【００１８】
図１と図２は本発明全体の最も簡素な形態を示している。図３から図６までは最も簡素な骨格片１０の形態を示している。
【００１９】
以下、本発明の最良の実施の形態を図７から図２０に基づいて説明する。骨格片１０の最良の形態については図７から図１４までと図２０に基づいて説明する。骨格部後端３１と骨格部前端３２の最良の形態については図１５と図１６に基づいて説明する。本発明の最も簡潔な装着動作を図１７に基づいて説明する。本発明の実施例を図１８と図１９に基づいて説明する。
【００２０】
骨格片１０には、貫通した穴１１の開口部に凸部１２と凹部１３を設けた、凹凸骨格片１０ａがより効果的である。すなわち、図７、図８、図９に示すように、一対の凸部１２と凹部１３を、互いに反対側の開口部に設ける。このようにすれば、凹凸骨格片１０ａ同士が連結する時には開口部の凸部１２が凹部１３に陥入し互いに固定しあい、より強固な骨格となる。また、図９の断面図に示すように、中を中空にすれば軽量化でき、より望ましい。
【００２１】
骨格片１０として、図１０に示すように、凸部１２のみからなる両凸部骨格片１０ｃと、凹部１３のみからなる両凹部骨格片１０ｄを交互に用いてもよい。凹凸骨格片１０ａを用いた場合と同様の効果が得られる。
【００２２】
骨格片１０として、図１１に示すように、長形骨格片１０ｇを用いた骨格部でもよい。長形骨格片１０ｇとは、一つの骨格部３０内の骨格片１０を２つから数個でまかなえるように、一つの骨格片１０を長くしたものである。長形骨格片１０ｇを用いた場合、折り畳み方の自由度が減少するが、一方で装着時のバイザーの強度はます。
【００２３】
骨格片１０として、図１２、図１３、図１４に示すように、略球形骨格片１０ｅと、略筒形骨格片１０ｆを交互に用いてもよい。略球形骨格片１０ｅはその丸みから自然に凸部１２を有し、略筒形骨格片１０ｆはその形状から開口部がそのまま凹部１３となる。
【００２４】
略球形骨格片１０ｅと略筒形骨格片１０ｆを交互に組み合わせた場合も、図１３のように隙間５５をなくし、数珠状に接した状態を作り出せば、略球形骨格片１０ｅの丸みが略筒形骨格片１０ｆの開口部に陥入し、互い固定しあう。
【００２５】
本発明のバイザーの人体頭部への装着をより容易にするためには、骨格部後端３１と骨格部前端３２に次のような構造を設ける。
【００２６】
図１５に示すように、骨格部後端３１の膜体４０に、骨格片１０の幅より小さくて、紐状部材２０が通るほどの大きさの後端穴４３を設ける。さらに、骨格部前端３２には、図１６に示すように、紐状部材２０の前端に骨格片抜け落ち止め２１を設ける。
【００２７】
そして、複数の骨格片１０を、紐状部材２０を通して連結し、バイザーの骨格部３０を形成する。その骨格部３０を膜体４０で覆い、骨格部３０に続く紐状部材２０の一端を後端穴４３からくぐりだす。本発明は以上の形態を備えることで、人体頭部から膜体４０が突出した状態を容易に作り出すことができる。
【００２８】
バイザーを人体頭部に装着するときは、図１７に示すように、バイザー内縁４１を額に当てがい、紐状部材２０を後方、すなわち図１７の矢印の方向に引けばよい。骨格片１０は後端穴４３を通ることができず、骨格部後端３１でせき止められ、バイザー内の骨格片１０が自然に連結する。その結果、骨格部３０が突出した状態ができ、膜体４０がバイザーとして額前方に突き出た状態が作られる。そのまま、左右の紐状部材２０を頭部後方で結合すれば、膜体４０がバイザーとして額前方に突き出た状態が維持される。
【００２９】
また、図１８に示すように、バイザー外縁４２全体に骨格部３０を内装した円形に近いバイザーを形成すれば、図１９に示すような、つば広のバイザーとなる。
【００３０】
図１８に示すつば広のバイザーの装着方法も同様に、図１７で示した装着方法で容易に装着できる。
【００３１】
図１８に示すつば広のバイザーのように、曲線の骨格部３０を形成するためには、図２０に示すように、凹部１３と凸部１２を持った凹凸骨格片１０ａにおいて、凸部１２の凸部角度１２ａより、凹部１３の凹部角度１３ｂを若干大きくし、バイザー外縁４２の曲率に対応すればよい。
【００３２】
図１８に示すつば広のバイザーのように、曲線の骨格部３０を形成するためには、図１２、図１３、図１４に示したような、略球形骨格片１０ｅと、略筒形骨格片１０ｆを交互に用いた骨格部３０でもよい。
【００３３】
なお、図１、図２、図１８、図１９における結合部材６０は、紐状部材２０を人体頭部後方で連結するためのものである。この結合部材６０は本発明に含まれるものではないが、本発明の説明のため、最も簡素なものが図中には示してある。
【符号の説明】
【００３４】
１０    骨格片
１０ａ  凹凸骨格片
１０ｃ  両凸部骨格片
１０ｄ  両凹部骨格片
１０ｅ  略球形骨格片
１０ｆ  略筒形骨格片
１０ｇ  長形骨格片
１１    穴
１２    凸部
１３    凹部
１２ａ  凸部角度
１３ｂ  凹部角度
２０    紐状部材
２１    骨格片抜け落ち止め
３０    骨格部
３１    骨格部後端
３２    骨格部前端
４０    膜体
４１    バイザー内縁
４２    バイザー外縁
４３    後端穴
５０    縫合線
５５    隙間
６０    結合部材
【図１】
2018028153.tif 000003
【図２】
2018028153.tif 000004
【図３】
2018028153.tif 000005
【図４】
2018028153.tif 000006
【図５】
2018028153.tif 000007
【図６】
2018028153.tif 000008
【図７】
2018028153.tif 000009
【図８】
2018028153.tif 000010
【図９】
2018028153.tif 000011
【図１０】
2018028153.tif 000012
【図１１】
2018028153.tif 000013
【図１２】
2018028153.tif 000014
【図１３】
2018028153.tif 000015
【図１４】
2018028153.tif 000016
【図１５】
2018028153.tif 000017
【図１６】
2018028153.tif 000018
【図１７】
2018028153.tif 000019
【図１８】
2018028153.tif 000020
【図１９】
2018028153.tif 000021
【図２０】
2018028153.tif 000022
【手続補正書】
【提出日】平成28年10月3日(2016.10.3)
【手続補正１】
【補正対象書類名】特許請求の範囲
【補正対象項目名】請求項１
【補正方法】変更
【補正の内容】
【請求項１】
貫通した穴（１１）を備えた複数の骨格片（１０）と、前記複数の骨格片（１０）の穴（１１）に通した紐状部材（２０）と、当該紐状部材（２０）を通した前記複数の骨格片（１０）を覆う膜体（４０）とを備える、人体頭部に装着する折り畳み式バイザー。
【手続補正２】
【補正対象書類名】特許請求の範囲
【補正対象項目名】請求項３
【補正方法】変更
【補正の内容】
【請求項３】
請求項１に記載のバイザーを有したフードを有する衣類、または、雨合羽。
【手続補正３】
【補正対象書類名】明細書
【補正対象項目名】００１６
【補正方法】変更
【補正の内容】
【００１６】
バイザーを人体頭部に装着するときは、図１のように骨格片１０同士の間の隙間５５をなくし、骨格片１０同士が数珠状に接した状態を作り出せばよい。この状態を作り出すためには、次のようにする。すなわち、骨格部３０末端から骨格片１０が抜け落ちないように結び目などの骨格片抜け落ち止め２１を設けた状態のもとで、骨格部３０のもう一端で、骨格片１０のみをせき止めながら、紐状部材２０を引けば、骨格片１０同士が接して連結した状態ができる。この状態で固定すれば、連なった骨格片１０により、ひと続きの骨格部３０が形成される。その結果、膜体４０を人体頭部から突出した状態を支える骨組みとなる。